(57)【要約】【課題】  本発明はウォーム機構に起因する可動あごのがたつきを、簡便な操作で押さえることのできるモンキーレンチを提供することを課題とする。【解決手段】  六角ナット１７等を挟持するため、固定あご１及びウォーム５を回動することにより摺動面４上を移動する可動あご２を備える工具鋼からなるモンキーレンチにおいて、ウォーム５自体を工具鋼から強磁性体とし、磁力の吸着力を避けるため支軸６をステンレス鋼とし、ウォーム５の側面にステンレス鋼のワッシャー７を設け、ウォーム５の吸着力で近接したラック３をくっつけ、可動あご２のがたつきを解消することを特徴としている。【選択図】図１
2020168708.tif 000002
【特許請求の範囲】
【請求項１】
締結部材である六角ナット等を挟持するため、固定あご及びウォームを回動し、摺動面上を移動する可動あごを備える工具鋼からなるモンキーレンチにおいて、前記ウォームの材質を工具鋼から一部もしくは全体を、磁力をもった強磁性体にすることにより、工具鋼からなる前記可動あご下部にあるラックを、近接する前記ウォーム側に前記強磁性体の吸着力でくっつけ、前記ラックと一体である前記可動あごのがたつきを押さえることを特徴とするモンキーレンチ。
【請求項２】
前記ウォームを貫通する工具鋼からなる支軸を、磁力の影響を避けるため工具鋼から非磁性体にすることにより、前記ウォームの回動を妨げないことを特徴とする請求項１に記載のモンキーレンチ。
【請求項３】
前記ウォームと前記モンキーレンチ本体とは接触するので、磁力の影響を避けるため前記ウォームの側面に非磁性体のワッシャーを備え、前記ウォームの回動を妨げないことを特徴とする請求項１又は２に記載のモンキーレンチ。
【発明の詳細な説明】
【技術分野】
【０００１】  本発明はモンキーレンチの改良に関し、具体的には可動あごのがたつきを解消するモンキーレンチに関するものである。
【背景技術】
【０００２】  モンキーレンチは固定あごと、ウォームによって回動され摺動面上を移動する可動あごで、締結部材である六角ナットを挟持して、締め付け及び緩めるとき時、通常連続してモンキーレンチの握り柄を持って回すのでなく、モンキーレンチの握り柄を持って回して、六角ナットから外し、再度六角ナットを挟持して、握り柄をもって回す動作を繰り返す。連続して回さないのは、握り柄が長く、周囲の物にあたり、回せない場合が多いからである。この繰り返す動作で荷重をかけたときに、可動あごのがたつきが、六角ナットの角部を損なう時がある。ウォーム機構を採用していることによる、可動あごのがたつきによって引き起こされる。ウォームの回動を容易にするため、ウォームとラックの噛み合わせに隙間を設けていることによる。またウォームを回動するとき、ラックが移動する貫通孔も、滑らかに移動できるように隙間が設けられており、もともと構造上問題点があるが、作業時に六角ナットの二面幅寸法が異なっても、自在に六角ナットを挟持でき便利なので、重宝される工具であり広く普及している。【０００３】  可動あごのがたつきを解消すべく色々な形態を見分するが、効果があるが操作面で余計な手順及び部品が必要となる形態が多く見受けられる。ウォーム機構による、がたつきを解消するモンキーレンチとして特許文献１があるが、可動あご下部にあるラックの歯を、ウォームを二分割にして、ウォームの歯二枚でラックの歯を挟み込むものが知られている。可動あごのがたつきを押さえるという機能面では良くできている。工具は基本的に機能面、操作性、耐久性、コスト面が要求される。しかし通常作業時、軍手をつける場合が多く、ウォームの操作は親指で行うので、ウォームの収容空間が限られた狭い空間ということもあり、従来からあるウォームの形状と、ウォームを二分割にした形状を比べると操作性が良いとは言えない、二分割でバネも組み込まれているので耐久性、コスト面も含めて、一概に良くなったとは言い難いという問題点がある。
【先行技術文献】
【特許文献】
【０００４】
【特許文献１】実開平０１−０８４７７２号  公報
【発明の概要】
【発明が解決しようとする課題】
【０００５】  本発明のモンキーレンチは上記の可動あごのがたつきをなくすため、構成が簡単で操作性に優れたモンキーレンチを提供することを目的とする。
【課題を解決するための手段】
【０００６】  本発明モンキーレンチは、締結部材である六角ナット等を挟持するため、固定あご及びウォームを回動し、摺動面上を移動する可動あごを備える工具鋼からなるモンキーレンチにおいて、前記ウォームの材質を工具鋼から一部もしくは全体を、磁力をもった強磁性体にすることにより、工具鋼からなる前記可動あご下部にあるラックを、近接する前記ウォーム側に前記強磁性体の吸着力でくっつけ、前記ラックと一体である前記可動あごのがたつきを押さえることを特徴とする。【０００７】  上記記載の本発明は、ウォームを、磁力をもった強磁性体にすることにより、吸着力でラックをくっつけ、可動あごのがたつきを押さえる。【０００８】  本発明のモンキーレンチは、前記ウォームを貫通する工具鋼からなる支軸を、磁力の影響を避けるため工具鋼から非磁性体にすることにより、前記ウォームの回動を妨げない。【０００９】  上記記載の本発明は、支軸が磁力によってウォームに吸着するのを防ぎ、ウォームの回動を妨げなくするためのものである。【００１０】  本発明のモンキーレンチは、前記ウォームと前記モンキーレンチ本体とは接触するので、磁力の影響を避けるため前記ウォームの側面に非磁性体のワッシャーを備え、前記ウォームの回動を妨げない。【００１１】  上記記載の本発明は、モンキーレンチ本体が工具鋼で鉄を主成分としており、磁力をもったウォームの回動時に吸着力の影響を受けるので、ウォームの回動をし易くするためのものである。
【発明の効果】
【００１２】  本発明において、ウォームを磁力をもった強磁性体にすることにより、作業時において、がたつきに対応したモンキーレンチでなく、従来からあるモンキーレンチと同じ操作で、がたつき解消のための余分な操作もなく、特に意識せずにがたつきが押さえられる。六角ナットの角部損傷も押さえられ、作業の信頼性、効率性を増すことができる。可動あごのがたつき解消のための構造が簡単で簡便な操作で実現した。
【図面の簡単な説明】
【００１３】
【図１】本発明モンキーレンチの構成を示す要所切断正面図である。
【発明を実施するための形態】
【００１４】  可動あごのがたつきを無くすという目的を、最小の部品点数で、簡便な操作で実現した。以下図１に従って本発明の実施形態を説明する。
【実施例１】
【００１５】  本発明モンキーレンチは工具鋼からなり、固定あご１及びウォーム５を回動することにより摺動面４上を移動する可動あご２を有し、締結部材である六角ナット１７を挟持する機能をもっている。収容空間９にはウォーム５とラック３が配置され、ウォーム５を回動することにより、工具鋼からなる可動あご２と一体となったラック３が貫通孔１６を摺動自在に移動する。貫通孔１６は摺動面４と平行にモンキーレンチの側面、両側を貫いている。ウォーム５を貫通する支軸６を支えるために、モンキーレンチ外側面より収容空間９側に、支軸６を保持するため挿通孔１０が設けられ、支軸６の延長線上に支軸６を受ける軸受孔１３が設けられている。支軸６の基端部におねじ部１１があり、挿通孔１０の内側にはめねじ部１２が設けられ、支軸６を螺着できる様になっている。ウォーム５の両側にはワッシャー７が設けられ、ウォーム５とワッシャー７は支軸６を介して支持される構成になっている。【００１６】  上記ウォーム５、支軸６及びワッシャー７について、ウォーム５自体は強磁性体であるネオジム磁石からなり、支軸６及びワッシャー７は非磁性体であるステンレス鋼とする。支軸６をステンレス鋼にするのはウォーム５の磁力の吸着力を避けるためであり、ワッシャー７をステンレス鋼にするのはモンキーレンチ本体が工具鋼であるため吸着力を弱め、ウォーム５の回動をし易くするためのものである。なおモンキーレンチ本体及び可動あご２と一体であるラック３は工具鋼であるので、またネオジム磁石もさび止めのためメッキ仕上げとする。【００１７】  続いてウォーム５自体をネオジム磁石にする作用と効果について、モンキーレンチ本体と一体化された固定あご１の挟持面１４は摺動面４に対し垂直であり、可動あご２の挟持面１５も摺動面４に対し垂直になる様に制作されているが、可動あご２の挟持面１５は垂直状態から固定あご１側に少し傾斜する傾向がある。可動あご２の自重で動く程度のものである。可動あご２と一体であるラック３が、貫通孔１６を移動し易くするために、貫通孔１６とラック３の間に隙間を設けていることによる。可動あご２の挟持面１５を、摺動面４に対しての垂直状態を維持できれば、ラック３とウォーム５の噛み合わせが安定し、がたつきが押さえられる。【００１８】  可動あご２の挟持面１５が摺動面４に対し垂直になるときは、六角ナット１７を固定あご１の挟持面１４と可動あご２の挟持面１５で挟持したときである。可動あご２とラック３は一体であるので、可動あご２の動き方とラック３の動き方は連動する。【００１９】  図１で示すと、六角ナット１７を固定あご１の挟持面１４及び可動あご２の挟持面１５で挟持したとき、固定あご１は固定されており、可動あご２には固定あご１側から可動あご２に向かって力が働き、ラック３の右側は上向きの力が、左側は下方向に力が働く。従って六角ナット１７を固定あご１の挟持面１４及び可動あご２の挟持面１５で挟持した時、ラック３の左側に下向きに力が働いた状態を維持すればよい。ウォーム５とラック３は平行に配置され近接し、歯の部分も接触しており、磁力をもったウォーム５の吸着力がラック３を引き寄せ、くっつけてくれるので、摺動面４に対して可動あご２の挟持��１５の垂直状態が維持される。垂直状態が維持されることにより、ラック３とウォーム５の噛み合わせが安定し、可動あご２が傾斜しなくなり、可動あご２のがたつきが解消される。【００２０】  本発明モンキーレンチは、ウォーム５の材質を工具鋼から強磁性体であるネオジム磁石に、支軸６を工具鋼からステンレス鋼へ変更、及びウォーム５の側面にステンレス鋼のワッシャー７を配置した構成である。材質の変更はあるが追加部品点数は、従来からあるモンキーレンチにワッシャー７を追加しただけである。【００２１】  モンキーレンチの操作については、締め付け時、締結部材である六角ナット１７の平行する側面を固定あご１と、ウォーム５を回動することにより摺動面４上を移動する可動あご２で挟持し、握り柄８を持って、図１の場合時計方向に回す。従来からあるモンキーレンチと操作は全く同じである。【００２２】  以上の構成によりウォーム５の磁力による吸着力で、可動あご２のがたつきを解消でき、構成も簡単で、簡便な操作を実現した。【００２３】  また本発明によるモンキーレンチは上記実施形態、ウォーム５自体を、全て磁力をもった強磁性体と限定するのではなく、例えばウォーム５を二分割に輪切りして半分を工具鋼、残り半分を強磁性体にするとか、ウォーム５の表層部を工具鋼、中心部を強磁性体とか多種多様の構成が考えられるが、ウォーム５の一部もしくは全体を強磁性体とすることによる吸着力で、ラック３を引き寄せる様々な構成を含む。
【産業上の利用可能性】
【００２４】  モンキーレンチは建築の作業現場などに多く使用されてきたが、可動あごのがたつきがあり、ボルト、ナット等の角部を損傷することは、精密作業を強いられる現場には信頼性に問題があり、スパナ等が適切とされた。しかし作業の利便性、効率面ではモンキーレンチが優れ、ウォームを強磁性体とすることにより可動あごのがたつきが押さえられ信頼性が増すと、使用範囲の拡大が期待される。
【符号の説明】
【００２５】１    固定あご
２    可動あご
３    ラック
４    摺動面
５    ウォーム
６    支軸
７    ワッシャー
８    握り柄
９    収容空間
１０  挿通孔
１１  おねじ部
１２  めねじ部
１３  軸受孔
１４  挟持面
１５  挟持面
１６  貫通孔
１７  六角ナット
【図１】
2020168708.tif 000003